(57)【特許請求の範囲】
【請求項１】
動物の耳に係止される係止部、この係止部から立設された軸部およびこの軸部の一端に設けられ係合部を有する頭部によって形成された雄部材と、この雄部材の頭部が強制的に挿入される開口、この開口の周縁に設けられ挿入された頭部の係合部が係合する内フランジ、挿入された頭部を収納する有底円筒状に形成された収納空間および動物の耳に係止される係止部を有する雌部材とを備え、前記内フランジに前記収納空間と外部との間を連通する液体排出路としての複数の溝を設け、
前記溝を奇数個設け、
これら奇数個の溝を円周方向に等角度おいて設けたことを特徴とする動物用耳標。
【請求項２】
前記雌部材の係止部を前記収納空間の周囲に円環状に形成し、この係止部内にアンテナ基板を収納したことを特徴とする請求項１記載の動物用耳標。
【発明の詳細な説明】
【技術分野】
【０００１】
本発明は、動物の耳に取り付ける動物用耳標に関し、特に血統、生年月日、生産地など動物がもつ固有の情報を記録した耳標に関するものである。
【背景技術】
【０００２】
従来の動物用耳標としては、フランジ状に形成されたパネル部、このパネル部から立設された中空状の軸部およびこの軸部の一端部に設けられた頭部からなる雄部材と、開口を有するパネル部、開口の周縁から立設されたボスおよびこのボスの開口側と反対側を覆う端部カバーからなる前記情報が表記された雌部材とを備えたものがある。このような構成において、取付工具の硬質ピンを雄部材の軸部の中空部に挿入し、取付工具を操作し、雄部材の頭部を雌部材の開口から強制的にボス内に挿入することにより、肩部が開口の周縁に係合して雄部材と雌部材とが結合する。（例えば、特許文献１参照）。
【特許文献１】特公平３−７６８８９号公報（明細書２頁右欄４３行〜３頁左欄２７行、第１図および第２図）
【発明の開示】
【発明が解決しようとする課題】
【０００３】
上述した従来の動物用耳標においては、雌部材のボスが端部カバーによって覆われた構造になっているため、雄部材の肩部およびチップを雌部材の開口から挿入する際にボス内が気密状態なる。一方、この種の動物用耳標においては、雄部材と雌部材とを結合させる直前にこれら両部材を一旦消毒用の薬液の中に浸漬させている。このときに雌部材のボス内に薬液が充填されていると、この薬液の圧力によって雄部材の肩部およびチップを雌部材の開口から挿入できないようなことがあるという問題があった。
【０００４】
本発明は上記した従来の問題に鑑みなされたものであり、その目的とするところは、雄部材と雌部材との結合時における作業性の向上を図るところにある。
【課題を解決するための手段】
【０００５】
この目的を達成するために、請求項１に係る発明は、動物の耳に係止される係止部、この係止部から立設された軸部およびこの軸部の一端に設けられ係合部を有する頭部によって形成された雄部材と、この雄部材の頭部が強制的に挿入される開口、この開口の周縁に設けられ挿入された頭部の係合部が係合する内フランジ、挿入された頭部を収納する有底円筒状に形成された収納空間および動物の耳に係止される係止部を有する雌部材とを備え、前記内フランジに前記収納空間と外部との間を連通する液体排出路としての複数の溝を設け、前記溝を奇数個設け、これら奇数個の溝を円周方向に等角度おいて設けたものである。
【０００６】
請求項２に係る発明は、請求項１に係る発明において、前記雌部材の係止部を前記収納空間の周囲に円環状に形成し、この係止部内にアンテナ基板を収納したものである。
【発明の効果】
【０００９】
請求項１に係る発明によれば、雌部材から雄部材を抜き取ろうとしても、雄部材の係合部が雌部材に設けられた複数の溝のうちの２つの溝の両方に対向するようなことがないから、雄部材の抜き取りを阻止することができる。
【００１０】
請求項２に係る発明によれば、動物に関する情報が書き込まれるアンテナ基板が係止部内に収納されているため、雨水等によって情報が消去するようなことがない。また、リーダによって動物に関する情報を電子データとして読取り、読み取った電子データをパソコン等によって管理することができるため、多数の動物の情報を管理する作業が容易になる。
【発明を実施するための最良の形態】
【００１２】
以下、本発明の実施の形態を図に基づいて説明する。図１は本発明に係る動物用耳標を結合する以前の全体の外観を示す斜視図、図２は同じく雄部材の縦断面図、図３は同じく雌部材の縦断面図、図４は同じく雌部材の底面図、図５は本発明に係る動物用耳標の縦断面図である。図１に全体を符号１で示す動物用耳標は、略全体がプラスチックによって形成された雄部材２と、この雄部材２と結合され全体がプラスチックによって形成された雌部材３とによって構成されている。
【００１３】
雄部材２は、図２に示すように円板状に形成され動物の耳に係止される係止部としてのフランジ２１と、このフランジ２１から一体に立設された軸部２２と、この軸部２２の上端部に設けられた頭部２３とによって概ね構成されている。頭部２３は、プラスチックによって略円錐台状に形成された係合部２４と、この係合部２４にインサート成形によって一体化され金属とによって円錐状に形成された尖鋭部２５とからなる。
【００１４】
軸部２２は上部に向かって漸次径が小さくなるように形成され、この軸部２２とフランジ２１と係合部２４とがプラスチックによって一体に形成されており、これらフランジ２１、軸部２２、係合部２４の中心部には中空部２２ａが設けられている。尖鋭部２５の中央部には、中空部２２ａと連通する径が小さい非貫通孔２５ａが設けられており、これら中空部２２ａと非貫通孔２５ａには、雄部材２と雌部材３とを結合させるための取付工具のピン（いずれも図示せず）が挿入される。係合部２４と軸部２２との間には、雄部材２と雌部材３とを結合させたときに、雌部材３の後述する内フランジ３５に係合する係合面２４ａが形成されている。
【００１５】
雌部材３は、図３に示すように、中央部に有底円筒状に形成された本体３１と、この本体３１の外周部に偏平なリング状に形成され動物の耳に係止される係止部としての基板収納部３２とからなり、全体がプラスチックによって一体に形成されている。本体３１の下端部には、逆すり鉢状に形成された開口３３が設けられており、この開口３３の最小径Ｒは上述した雄部材２の軸部２２の径よりも大きく、かつ係合部２４の径よりも小さく形成されている。この開口３３の内周面には、図４に示すように６個の液体排出路としての溝３３ａないし３３ｆが円周方向に等角度おいて設けられている。すなわち、互いに対向する溝３３ａと溝３３ｄおよび溝３３ｂと溝３３ｅならびに溝３３ｃと溝３３ｆとが、互いに対称位置に位置付けられるように円周方向に１８０°位相をずらして設けられている。
【００１６】
図３において、３４は本体３１の内側に設けられ、開口３３から挿入された雄部材２の頭部２３を収納する収納部であって、上部には頭部２３の尖鋭部２５を収納する凹部３４ａが設けられている。開口３３の収納部３４側の周縁部には、開口３３から挿入された雄部材２の頭部２３の係合面２４ａが係合する内フランジ３５が設けられている。基板収納部３２は中空状に形成されており、この中空部３２ａ内には、リング状に形成されたアンテナ基板３６が設けられている。このアンテナ基板３６にはアンテナ用のコイルが配線されているとともに非接触によって情報の読み書きが行われるＩＣチップ（図示せず）が実装されている。
【００１７】
このように構成された雄部材２と雌部材３とを結合させるには、取付工具のピン（いずれも図示せず）を雄部材２の中空部２２ａから非貫通孔２５ａに挿入するとともに、取付工具によって雄部材２の尖鋭部２５と雌部材３の開口３３とを対向させるように保持する。この状態で、雄部材２と雌部材３とを消毒用の薬液内に一旦浸漬させ、薬液から取り出した後に、尖鋭部２５と開口３３とを動物の耳４０を挟むように位置付け、取付工具のピンによって尖鋭部２５を開口３３に押し込むように取付工具を操作する。尖鋭部２５を開口３３に押し込むことにより、係合部２４と開口３３がわずかに弾性変形するので雄部材２の頭部２４が雌部材３の収納部３４内に強制的に挿入され、図５に示すように雄部材２の係合面２４ａが雌部材３の内フランジ３５に係合し、雄部材２の頭部２４が雌部材３の収納部３４内に収納される。
【００１８】
このとき、仮に雌部材３の収納部３４内に薬液が充填されていたとしても、開口３３に溝３３ａないし３３ｆが設けられていることにより、雄部材２の頭部２４を雌部材３の収納部３４内に挿入する際に、収納部３４内に充填されていた薬液がこれら溝３３ａないし３３ｆから外部に排出される。したがって、雌部材３の収納部３４内への雄部材２の頭部２４の挿入作業を容易に行うことができるから作業性が向上する。また、液体排出路としての溝３３ａないし３３ｆを動物の耳４０側に設けたことにより、これら溝３３ａないし３３ｆから排出される薬液が動物の耳４０に直接付着するから消毒効果が向上する。また、溝３３ａないし３３ｆを設けたことにより、雌部材３の収納部３４内に収納する薬液の量を調整したりする必要がないため作業性が向上する。
【００１９】
また、動物に関する情報が書き込まれるアンテナ基板３６が基板収納部３２内に収納されているため、雨水等によって情報が消去するようなことがない。また、リーダによって動物に関する情報を電子データとして読取り、読み取った電子データをパソコン等によって管理することができるため、多数の動物の情報を管理する作業が容易になる。
【００２０】
図６および図７は本発明の第２の実施の形態の必要性を説明するための図であって、図６は雄部材の正面図、図７は雌部材の底面図、図８は本発明の第２の実施の形態を示す雌部材の底面図である。上述した第１の実施の形態において、雄部材２と雌部材３とを結合させた図５の状態から、第三者が意図的に雄部材２を矢印Ａ方向に引っ張ることにより、雄部材２の頭部２３を雌部材３の収納部３４内から抜き取り、雌部材３を他の動物に適用するという悪質な再利用方法がある。
【００２１】
すなわち、雄部材２と雌部材３とを結合させた図５の状態から、強引に雄部材２を矢印Ａ方向に引っ張ると、雄部材２の係合面２４ａが雌部材３のうちフランジ３５に係合しているため、雄部材２の係合部２４と軸部２２の上端部との間の一部が、図６に示すように破断することがある。この状態で、さらに雄部材２を矢印Ａ方向に引っ張ると、雄部材２の頭部２３は、雌部材３の収納部３４内を弾性変形しながら軸部２２の破断していない部位２２ｂを回動中心として略９０°回動する。
【００２２】
このように雄部材２の頭部２３が９０°回動した状態になると、図７に示すように、回動する以前には雌部材３の内フランジ３５に係合していた雄部材２の係合部２４が、円周方向に互いに１８０°位相がずれている２つの溝３３ａおよび溝３３ｄに対向することがある。雄部材２の係合部２４が溝３３ａおよび溝３３ｄに対向すると、係合部２４と内フランジ３５との係合が解除されるから、雄部材２の頭部２３が雌部材３の開口３３から抜き取られることがある。
【００２３】
この不具合を解消するために、この第２の実施の形態においては、図８に示すように、雌部材３の開口３３に奇数個（３個）の溝３３ｇ，３３ｈ，３３ｉを設け、これら３個の溝３３ｇ，３３ｈ，３３ｉを円周方向に等角度おいて設けた点に特徴を有する。すなわち、３個の溝３３ｇ，３３ｈ，３３ｉは、互いに非対称の位置に設けられているため、互いが円周方向に１８０°位相をずらした位置に設けられていない。したがって、雄部材２の頭部２３が、図６を用いて説明したように軸部２２の破断していない部位２２ｂを回動中心として略９０°回動した状態となって、雄部材２の係合部２４が３個の溝３３ｇ，３３ｈ，３３ｉのうちのいずれか２つの溝に対向するようなことがない。このため、係合部２４は必ず雌部材３の内フランジ３５に係合した状態が保持されるため、雄部材２の頭部２３が雌部材３の開口３３から抜き取られるようなことがない。
【００２４】
この第２の実施の形態では、溝３３ｇ，３３ｈ，３３ｉを奇数個としたが、偶数個としてもよく、その場合は円周方向の間隔を等角度とせずに、偶数個の溝を互いに非対称位置に設け、偶数個の溝のうちのいずれか２個が円周方向に１８０°位相がずれた位置に位置付けられないようにすればよい。
【００２５】
なお、本実施の形態においては、液体排出路として溝３３ａないし３３ｉの例を説明したが、雌部材３の収納部３４内と外部とを連通する貫通孔を内フランジ３５に設けるようにしてもよい。
【図面の簡単な説明】
【００２６】
【図１】本発明に係る動物用耳標を結合する以前の全体の外観を示す斜視図である。
【図２】本発明に係る動物用耳標の雄部材の縦断面図である。
【図３】本発明に係る動物用耳標の雌部材の縦断面図である。
【図４】本発明に係る動物用耳標の雌部材の底面図である。
【図５】本発明に係る動物用耳標の縦断面図である。
【図６】本発明の第２の実施の形態における必要性を説明するための雄部材の正面図である。
【図７】本発明の第２の実施の形態における必要性を説明するための雌部材の底面図である。
【図８】本発明の第２の実施の形態を示す雌部材の底面図である。
【符号の説明】
【００２７】
１…動物用耳標、２…雄部材、３…雌部材、２１…フランジ（係止部）、２２…軸部、２２ａ…中空部、２３…頭部、２４…係合部、２４ａ…係合面、２５…尖鋭部、２５ａ…非貫通孔、３１…本体、３２…基板収納部（係止部）、３３…開口、３３ａないし３３ｉ…溝（液体排出路）、３４…収納部、３５…内フランジ、３６…アンテナ基板、４０…動物の耳。
【図１】
0004582802.tif 000002
【図２】
0004582802.tif 000003
【図３】
0004582802.tif 000004
【図４】
0004582802.tif 000005
【図５】
0004582802.tif 000006
【図６】
0004582802.tif 000007
【図７】
0004582802.tif 000008
【図８】
0004582802.tif 000009